(57)【要約】【課題】出射される光に輝度ムラが生じ難い光源モジュールを提供する。【解決手段】光源モジュールは、複数の出射面１２２を有する導光板１２０と、導光板１２０に光を照射する光源と、拡散板１３０と、拡散シート１４０とを備える。複数の出射面１２２は、互いに隙間１２８をもって並列して配置され、各々の出射面１２２には、隙間１２８が延びる方向と平行な方向に沿って延びる互いに並行して位置する複数の第１溝部１２２ａが設けられる。拡散板１３０は、複数の出射面１２２および隙間１２８を覆うように導光板１２０の直上に配置され、拡散板１３０の主面には、第１溝部１２２ａが延びる方向と平行な方向に沿って延びる互いに並行して位置する複数の第２溝部１３１ａが設けられる。拡散シート１４０は、拡散板１３０の直上に配置される。【選択図】図８
2012054042.tif 000002
【特許請求の範囲】
【請求項１】
互いに隙間をもって略同一平面上において並列して配置されかつ前記隙間が延びる方向と平行な方向に沿って延びる互いに並行して位置する複数の第１溝部がその各々に設けられてなる複数の出射面を有し、照射された光を内部において導光して前記複数の出射面から出射する導光板と、
前記導光板に光を照射する光源と、
前記複数の出射面および前記隙間を覆うように前記導光板の直上に配置され、前記第１溝部が延びる方向と平行な方向に沿って延びる互いに並行して位置する複数の第２溝部がその主面に設けられてなる拡散板と、
前記拡散板の直上に配置された拡散シートとを備えた、光源モジュール。
【請求項２】
前記導光板が、前記第１溝部が延びる方向に交差する側面を入射面として有し、
前記光源が、前記入射面に対向して配置された、請求項１の光源モジュール。
【請求項３】
前記複数の出射面が位置する側の主面とは反対側に位置する前記導光板の主面に沿って反射シートが配置された、請求項２に記載の光源モジュール。
【請求項４】
前記導光板が、互いに並列して配置された複数のブロック状導光体にて構成され、
前記光源が、前記複数のブロック状導光体のそれぞれに光を照射するための複数の光源を含み、
前記複数の照射面が、前記複数のブロック状導光体のそれぞれに設けられた照射面にて構成された、請求項１から３のいずれかに記載の光源モジュール。
【請求項５】
主面に付与されたプリズム形状が互いに直交するように重ね合わされた一対のプリズムシートが前記拡散シートの上方に配置された、請求項１から４のいずれかに記載の光源モジュール。
【請求項６】
請求項１から５のいずれかに記載の光源モジュールを備えた、電子機器。
【発明の詳細な説明】
【技術分野】
【０００１】
本発明は、光を外部に向けて出射可能な光源モジュールおよびこれを備えた電子機器に関する。
【背景技術】
【０００２】
近年、液晶表示装置に代表される画像表示装置のバックライトモジュールや照明器具等の電子機器に適用することが可能な光源モジュールとして、長寿命かつ低消費電力である高輝度ＬＥＤ（light-emitting diode）を光源として備えたものが注目されている。光源モジュールとしては、各種の構成のものが存在するが、特に薄型の面発光式光源モジュールとしてその使用が可能なエッジライト型光源モジュールが急速に普及しつつある。
【０００３】
エッジライト型光源モジュールは、偏平板状の導光板の端面に光源を対向して配置し、光源が発光することで導光板の端面から入射した光を導光板の内部において導光しつつ拡散させ、導光板の一方の主表面から外部に向けて均等に光が出射するように構成された光源モジュールである。当該エッジライト型光源モジュールは、特に液晶表示装置のバックライトモジュールとして好適にその利用が可能であり、自発光機能を有さない液晶パネルの背面側に配置されることで液晶パネルに表示された画像の視認を可能にする。
【０００４】
一方、液晶表示装置においては、表示される画像の残像感の解消を目的として、バックライトブリンキングと称される技術が提案されている。バックライトブリンキングは、液晶パネルに照射される光を出射するための光源を液晶パネルの表示領域に対応付けて分割して配置し、液晶パネルに画像を表示させるタイミングに同期させて当該分割配置された光源を順次消灯することによって、表示される画像と画像の間に黒色表示を挿入する技術であり、当該バックライトブリンキングを行なうことで残像感の生じ難い擬似インパルス型の画像表示が実現される。
【０００５】
当該バックライトブリンキングを行なうためには、上述したように光源の分割配置が必要であり、バックライトモジュールとして上述したエッジライト型光源モジュールを使用する場合には、たとえば導光板を複数のブロック状導光体に分割して並列に配置すること等によって導光板の出射面を分割するとともに、分割した出射面のそれぞれに対応付けて光源を配置する構成が採用される。なお、当該構成が採用された液晶表示装置としては、たとえば特開２００１−９２３７０号公報（特許文献１）に開示のものや、特開２００８−３４３７２号公報（特許文献２）に開示のもの、特開２００９−４３７０６号公報（特許文献３）に開示のもの等がある。
【先行技術文献】
【特許文献】
【０００６】
【特許文献１】特開２００１−９２３７０号公報
【特許文献２】特開２００８−３４３７２号公報
【特許文献３】特開２００９−４３７０６号公報
【発明の概要】
【発明が解決しようとする課題】
【０００７】
ここで、上述の如く、並列して配置された複数の出射面を有する導光板を備えたエッジライト型光源モジュールにおいては、並列配置された出射面間に隙間が設けられることになり、これに伴って出射面から出射される光に輝度ムラが生じてしまう。この輝度ムラは、たとえばエッジライト型光源モジュールを液晶表示装置のバックライトモジュールとして使用した場合に、表示される画像の輝度ムラとなって表われ、当該隙間に対応した部分にたとえば暗線や輝線が生じるといったかたちで高品位の画像の再現を妨げることになる。
【０００８】
したがって、本発明は、上述した問題点を解決すべくなされたものであり、出射される光に輝度ムラが生じ難い光源モジュールおよびこれを備えた電子機器を提供することを目的とする。
【課題を解決するための手段】
【０００９】
本発明に基づく光源モジュールは、導光板と、光源と、拡散板と、拡散シートとを備える。上記導光板は、複数の出射面を有し、照射された光を内部において導光して上記複数の出射面から出射する。上記光源は、上記導光板に光を照射する。上記複数の出射面は、互いに隙間をもって略同一平面上において並列して配置される。上記複数の出射面の各々には、上記隙間が延びる方向と平行な方向に沿って延びる互いに並行して位置する複数の第１溝部が設けられる。上記拡散板は、上記複数の出射面および上記隙間を覆うように上記導光板の直上に配置される。上記拡散板の主面には、上記第１溝部が延びる方向と平行な方向に沿って延びる互いに並行して位置する複数の第２溝部が設けられる。上記拡散シートは、上記拡散板の直上に配置される。
【００１０】
上記本発明に基づく光源モジュールにおいては、好ましくは、上記導光板が、上記第１溝部が延びる方向に交差する側面を入射面として有し、上記光源が、上記入射面に対向して配置される。
【００１１】
上記本発明に基づく光源モジュールにおいては、好ましくは、上記複数の出射面が位置する側の主面とは反対側に位置する上記導光板の主面に沿って反射シートが配置される。
【００１２】
上記本発明に基づく光源モジュールにおいては、好ましくは、上記導光板が、互いに並列して配置された複数のブロック状導光体にて構成され、上記光源が、上記複数のブロック状導光体のそれぞれに光を照射するための複数の光源を含み、上記複数の照射面が、上記複数のブロック状導光体のそれぞれに設けられた照射面にて構成される。
【００１３】
上記本発明に基づく光源モジュールにおいては、好ましくは、主面に付与されたプリズム形状が互いに直交するように重ね合わされた一対のプリズムシートが上記拡散シートの上方に配置される。
【００１４】
本発明に基づく電子機器は、上述した本発明に基づく光源モジュールのいずれかを備える。
【発明の効果】
【００１５】
本発明によれば、出射される光に輝度ムラが生じ難い光源モジュールおよびこれを備えた電子機器とすることができる。
【図面の簡単な説明】
【００１６】
【図１】本発明の実施の形態におけるバックライトモジュールを備えた液晶表示装置の分解斜視図である。
【図２】図１に示す導光板および光源ユニットのレイアウトを示す平面図である。
【図３】図２に示すＩＩＩ−ＩＩＩ線に沿った液晶表示装置の概略断面図である。
【図４】図１ないし図３に示すブロック状導光体の概略斜視図である。
【図５】図４に示すＶＡ−ＶＡ線に沿ったブロック状導光体の断面図および当該断面近傍のブロック状導光体の底面図である。
【図６】図４に示すＶＩＡ−ＶＩＡ線に沿ったブロック状導光体の断面図および当該断面近傍のブロック状導光体の底面図である。
【図７】図４に示すＶＩＩＡ−ＶＩＩＡ線に沿ったブロック状導光体の断面図および当該断面近傍のブロック状導光体の底面図である。
【図８】本発明の実施の形態におけるバックライトモジュールの一部を切り出した一部破断斜視図である。
【図９】本発明の実施の形態の変形例におけるバックライトモジュールの一部を切り出した一部破断斜視図である。
【発明を実施するための形態】
【００１７】
以下、本発明の実施の形態について、図を参照して詳細に説明する。以下に示す実施の形態においては、本発明が適用された電子機器として液晶表示装置を、本発明が適用された光源モジュールとして当該液晶表示装置に具備されるバックライトモジュールをそれぞれ例示して説明を行なう。なお、以下に示す実施の形態およびその変形例においては、同一または共通する部分に図中同一の符号を付し、その説明は個別には繰り返さない。
【００１８】
図１は、本発明の実施の形態におけるバックライトモジュールを備えた液晶表示装置の分解斜視図であり、図２は、図１に示す導光板および光源ユニットのレイアウトを示す平面図である。また、図３は、図２に示すＩＩＩ−ＩＩＩ線に沿った液晶表示装置の概略断面図である。まず、これら図１ないし図３を参照して、本実施の形態におけるバックライトモジュールおよびこれを備えた液晶表示装置の全体構造について説明する。なお、図１および図２においては、各部材の詳細な形状については、その図示を省略している。
【００１９】
図１に示すように、液晶表示装置１は、ベゼル２と、液晶パネル３と、シャーシ４と、制御部５と、バックライトモジュール１００とを主として備えている。このうち、液晶パネル３およびバックライトモジュール１００は、これらが積層された状態でベゼル２とシャーシ４とによって挟み込まれて保持される。
【００２０】
ベゼル２は、液晶パネル３の表示領域を露出させるための窓部を有する額縁状の部材にて構成されており、液晶パネル３の表示面側に配置される。
【００２１】
液晶パネル３は、画像を表示するため表示領域を含む部材であり、主としてアクティブマトリックス基板、カラーフィルタ、対向基板および液晶層を含んでいる。このうち、液晶層は、対向配置されたアクティブマトリックス基板および対向基板の間に液晶が封入されることで構成されている。アクティブマトリックス基板には、複数のＴＦＴ（thin film transistor）素子が画素に応じて形成されており、当該複数のＴＦＴ素子は、制御部５によってそのＯＮ／ＯＦＦ動作が制御される。
【００２２】
シャーシ４は、たとえばプレス成形等を行なうことによって形成された金属製の板状の部材にて構成されており、液晶表示装置１を構成する各部材が組付けられるベースとなる部材である。
【００２３】
バックライトモジュール１００は、反射シート１１０と、導光板１２０と、拡散板１３０と、拡散シート１４０と、一対のプリズムシート１５０ａ，１５０ｂと、偏光性反射シート１６０と、一対の照射ユニット１０３，１０４とを含んでいる。バックライトモジュール１００を構成する部材のうち、一対の照射ユニット１０３，１０４を除く部材は、それぞれの主面が対向するように厚み方向に沿って積層されており、一対の照射ユニット１０３，１０４は、積層された上記部材のうちの導光板１２０の所定の端面（側面）に対向して配置されている。
【００２４】
図２および図３に示すように、導光板１２０は、複数に分割された長尺状のブロック状導光体１２１を含んでおり、これら複数のブロック状導光体１２１が互いに並列して配置されることで全体として略平板状の形状を有するように構成されている。このため、並列して配置されたブロック状導光体１２１の間には、隙間１２８が位置することになる。各々のブロック状導光体１２１は、出射面として機能する第１主面１２２と、入射面として機能する一対の端面１２３，１２４と、光拡散面として機能する第２主面１２５とを有している。ここで、図２に示すように、一対の端面１２３，１２４は、ブロック状導光体１２１の長手方向に交差する側面であり、これら端面１２３，１２４に対向して上記一対の照射ユニット１０３，１０４が配置されている。
【００２５】
ブロック状導光体１２１は、照射ユニット１０３，１０４から出射されることで入射面である端面１２３，１２４から入射した光をブロック状導光体１２１の内部において導光しつつ拡散させ、これにより出射面である第１主面１２２から出射させるための部材である。より詳細には、ブロック状導光体１２１は、その所定位置に後述する第１溝部１２２ａ（図４等参照）および光拡散部１２５ａ（図５ないし図７等参照）を有しており、表面において全反射を繰り返しながらブロック状導光体１２１の内部において導光されてこれら第１溝部１２２ａや光拡散部１２５ａに達した光のうち、その一部を当該部位において拡散させることで全反射条件を破り、これにより出射面である第１主面１２２から光を出射させるものである。なお、ブロック状導光体１２１としては、所定の形状を有する透光部材であればどのようなものでも使用が可能であるが、好適にはポリカーボネイト樹脂やアクリル樹脂等からなる樹脂製の透光部材またはガラス製の透光部材等が用いられる。
【００２６】
図３に示すように、反射シート１１０は、ブロック状導光体１２１の光拡散面である第２主面１２５に沿って配置されている。反射シート１１０は、ブロック状導光体１２１の第２主面１２５から出射される光を反射してブロック状導光体１２１に戻すための部材であり、当該反射シート１１０を設けることにより、第２主面１２５から光が漏れ出ることが防止されて光の利用効率が高められることになる。なお、反射シート１１０としては、高反射性を有するシート状部材であればどのようなものでも使用可能であるが、好適には白色ポリエチレンテレフタラートフィルムに代表される白色ポリエステルフィルム等が用いられる。
【００２７】
拡散板１３０は、複数のブロック状導光体１２１の出射面である第１主面１２２から出射された光を拡散させてその放射照度分布の均一化を図るための部材であり、並列して配置された複数のブロック状導光体１２１を含む導光板１２０の全体を覆うように当該導光板１２０の直上に配置される。なお、拡散板１３０としては、所定の形状でかつ拡散性を有する部材であればどのようなものでも使用が可能であるが、好適にはポリカーボネイト樹脂やポリスチレン樹脂等からなる樹脂製の部材等が用いられる。
【００２８】
拡散シート１４０は、拡散板１３０から出射された光をさらに拡散させさせてその放射照度分布のさらなる均一化を図るための部材であり、拡散板１３０の直上に配置される。なお、拡散シート１４０としては、ポリエチレンテレフタラートフィルムに代表されるポリエステルフィルムの表面を粗面化処理したものや、当該ポリエステルフィルムの表面にアクリルビーズをバインダを用いて付着させたもの等が用いられる。
【００２９】
一対のプリズムシート１５０ａ，１５０ｂは、拡散シート１４０から出射された光を集光するための部材であり、拡散シート１４０の直上に２枚重ねて配置される。ここで、一対のプリズムシート１５０ａ，１５０ｂは、そのそれぞれの主面に付与されたプリズム形状が互いに直交するように重ね合わされる（図１参照）。なお、プリズムシート１５０ａ，１５０ｂとしては、たとえば熱可塑性樹脂フィルムにプリズム形状を転写したものや、ポリエチレンテレフタラートフィルムに代表されるポリエステルフィルムに紫外線硬化型樹脂を用いてプリズム形状を転写したもの等が用いられる。
【００３０】
偏光性反射シート１６０は、プリズムシート１５０ｂから出射された光に含まれる特定の種類の偏光成分（ｐ偏光成分またはｓ偏光成分）を透過させてそれ以外の偏光成分を反射させるための部材であり、プリズムシート１５０ｂの直上に配置される。この偏光性反射シート１６０を設けることにより、反射させた偏光成分を再び反射シート１１０等で反射させることで偏光状態を変化させて偏光性反射シート１６０に再照射することが可能になり、その結果、光の利用効率を高めることができる。なお、偏光性反射シート１６０としては、たとえばコレステリック液晶フィルム等が利用できる。
【００３１】
図２に示すように、一対の照射ユニット１０３，１０４の各々は、複数のＬＥＤ１０５，１０７と、このＬＥＤが実装されたプリント配線板１０６，１０８とをそれぞれ含んでいる。ここで、複数のＬＥＤ１０５，１０７は、導光板１２０を構成する複数のブロック状導光体１２１の入射面である端面１２３，１２４にそれぞれ対応付けて対向配置されるように設けられており、制御部５によってその駆動が制御されることで端面１２３，１２４に向けてそれぞれ光を照射する。なお、光源としては、ＬＥＤに限られず、冷陰極管および熱陰極間等の蛍光管やその他の光源であってもよい。
【００３２】
図１を参照して、制御部５は、液晶表示装置１の全体を制御するための部位であり、たとえば液晶パネル３に設けられたＴＦＴ素子の駆動の制御や照射ユニット１０３，１０４に設けられたＬＥＤ１０５，１０７の駆動の制御等を行なう。特に、制御部５は、液晶パネル３の駆動の制御と照射ユニット１０３，１０４の駆動の制御とを同期的に行なうことにより、液晶パネル３の各画素において１フレーム内に発光期間と非発光期間とを設け、画像表示と黒色表示とを交互に行なうように制御することでバックライトブリンキングを行なう。これにより、疑似インパルス型の表示が実現され、残像感の解消が図られる。
【００３３】
図４は、図１ないし図３に示すブロック状導光体の概略斜視図である。図５は、図４に示すＶＡ−ＶＡ線に沿ったブロック状導光体の断面図および当該断面近傍のブロック状導光体の底面図である。図６は、図４に示すＶＩＡ−ＶＩＡ線に沿ったブロック状導光体の断面図および当該断面近傍のブロック状導光体の底面図である。また、図７は、図４に示すＶＩＩＡ−ＶＩＩＡ線に沿ったブロック状導光体の断面図および当該断面近傍のブロック状導光体の底面図である。次に、これら図４ないし図７を参照して、上述したブロック状導光体の具体的な形状および構成について説明する。
【００３４】
図４ないし図７に示すように、ブロック状導光体１２１は、偏平な長尺の略直方体形状の外形を有しており、上述したように、出射面として機能する第１主面１２２と、入射面として機能する一対の端面１２３，１２４と、光拡散面として機能する第２主面１２５とを有している。ここで、ブロック状導光体１２１は、その長手方向と直交する断面において、幅方向の中央に位置する厚肉の主部１２６と、幅方向の両端に位置し、主部１２６から幅方向に沿って張り出した一対の薄肉の張出し部１２７とを有している。そのため、ブロック状導光体１２１を当該断面で見た場合には、逆Ｔ字状の形状となる。
【００３５】
なお、張出し部１２７は、ブロック状導光体１２１の本来的な機能である光学的な機能に加え、ブロック状導光体１２１を安定的にシャーシ４に固定するための固定部としても機能する部位であり、図示しない固定具によって当該張出し部１２７がシャーシ４との間に挟みこまれることにより、ブロック状導光体１２１がシャーシ４に移動不能に安定的に固定される。
【００３６】
主部１２６の上面は、出射面として機能する第１主面１２２に相当し、当該第１主面１２２には、互いに並行して位置する複数の第１溝部１２２ａが設けられている。第１溝部１２２ａは、ブロック状導光体１２１の長手方向に沿って延在しており、当該第１溝部１２２ａの両端は、入射面として機能する一対の端面１２３，１２４にまで達している。
【００３７】
第１溝部１２２ａは、ブロック状導光体１２１の内部において導光される光の全反射条件を破り易くすることにより、第１主面１２２に達した光のうちの一部を拡散させて当該第１主面１２２から出射させるためのものである。特に、第１溝部１２２ａは、ブロック状導光体１２１の内部においてブロック状導光体１２１の長手方向と交差する方向に進む光を効率的に第１主面１２２から出射させるためのものであり、これによりブロック状導光体１２１の長手方向に交差する側面（入射面である端面１２３，１２４でない側面）に必要以上に光が達して当該側面から出射されてしまうことを防止するためのものである。
【００３８】
なお、第１溝部１２２ａは、その具体的な形状が特に限定されるものではないが、たとえば当該第１溝部１２２ａが形成される第１主面１２２の表面形状が波形状とされることで構成されていてもよいし、プリズム形状（多面体形状）とされることで構成されていてもよいし、半円柱形状の周面の繰り返しとされることで構成されていてもよい。
【００３９】
図５ないし図７に示すように、主部１２６および一対の張り出し部１２７の下面は、光拡散面として機能する第２主面１２５に相当し、当該第２主面１２５には、間隔をあけて光拡散部１２５ａが多数設けられている。光拡散部１２５ａは、たとえば、光散乱粒子を分散させたポリマーをブロック状導光体１２１の第２主面１２５に印刷することで形成される。ここで、光散乱粒子としては、蛍光体を用いることとしてもよい。また、この他にも、光拡散部１２５ａを形成する方法としては、ブロック状導光体１２１の第２主面１２５にプリズム等の微細な凹凸形状を付与することで形成してもよいし、ブロック状導光体１２１の第２主面１２５にブラスト処理を施すことで形成してもよい。
【００４０】
図５ないし図７に示す例においては、光拡散部１２５ａとして各々が平面視円形形状とされたドットパターンが採用されている。ここで、ブロック状導光体１２１の出射面である第１主面１２２から出射される光の放射強度分布をより均一化させる観点に照らせば、当該光拡散部１２５ａとして機能するドットパターンの大きさや密度、形成位置等が、ブロック状導光体１２１の長手方向および幅方向に沿って適宜調節されていることが好ましい。
【００４１】
具体的には、図５ないし図７に示す例においては、主部１２６の下面に設けられた光拡散部１２５ａのドットパターンの径が、張出し部１２７の下面に設けられた光拡散部１２５ａのドットパターンの径よりも大きくなるようにその大きさが調節されている。このように構成することにより、ブロック状導光体１２１の出射面である第１主面１２２から出射される光の幅方向に沿った放射照度分布がより均一化される効果を得ることできる。
【００４２】
また、これに加え、図５ないし図７に示す例においては、ブロック状導光体１２１の長手方向に沿って光拡散部１２５ａのドットパターンの径が調節されており、当該ブロック状導光体１２１の長手方向に沿った中央寄りの位置に配置された光拡散部１２５ａのドットパターンの径（図６参照）が、当該長手方向に沿った両端寄りの位置に配置された光拡散部１２５ａのドットパターンの径（図５および図７参照）よりも大きくされている。このように構成することにより、ブロック状導光体１２１の出射面である第１主面１２２から出射される光の長手方向に沿った放射照度分布がより均一化される効果を得ることができる。
【００４３】
なお、ブロック状導光体１２１の具体的な寸法としては、たとえば、長手方向の長さが１３５８．５ｍｍとされ、幅方向の長さが４０ｍｍ〜１３０ｍｍ程度とされ、主部１２６の厚みが４．０ｍｍとされ、張出し部１２７の厚みが１．０ｍｍとされ、張出し部１２７の幅方向に沿った突出量が２．０ｍｍとされる。また、第１溝部１２２ａの具体的な寸法としては、たとえば、ピッチが０．６ｍｍ〜２．０ｍｍ程度（好適には１．０ｍｍ）とされ、溝深さが０．１５ｍｍ〜０．３ｍｍ程度（好適には０．２ｍｍ）とされる。また、光拡散部１２５ａのドットパターンの具体的な寸法としては、たとえば０．１ｍｍ〜０．５ｍｍ程度とされる。
【００４４】
以上において説明した本実施の形態におけるバックライトモジュール１００およびこれを備えた液晶表示装置１においては、導光板１２０を複数のブロック状導光体１２１に分割して並列に配置することにより、出射面としての第１主面１２２が分割された構成とされている。このため、出射面である複数の第１主面１２２間に図２に示した如くの隙間１２８が生じることになり、何ら手当てを行なっていない場合には、バックライトモジュール１００から出射される光に輝度ムラが生じ、結果として液晶パネル３に表示される画像の輝度ムラにつながってしまうことになる。
【００４５】
そこで、本実施の形態におけるバックライトモジュール１００およびこれを備えた液晶表示装置１においては、当該隙間１２８に設けられた張出し部１２７の形状や大きさ、光拡散面である第２主面１２５に設けられる光拡散部１２５ａの形状や大きさ、密度等のレイアウトを最適化することで、当該隙間１２８が生じることによる輝度ムラの発生の軽減を図るとともに、さらに導光板１２０の出射面である第１主面１２２上に拡散板１３０および拡散シート１４０を配置することでこの問題の解決を図っている。以下においては、導光板１２０の出射面である第１主面１２２上に拡散板１３０および拡散シート１４０を配置することでこの問題が解決される理由について詳細に説明する。
【００４６】
図８は、本実施の形態におけるバックライトモジュールの一部を切り出した一部破断斜視図である。図８に示すように、本実施の形態におけるバックライトモジュール１００においては、出射面である複数の第１主面１２２を含む導光板１２０の直上に図中に示すＺ軸方向に沿って拡散板１３０が配置されており、当該拡散板１３０の直上に図中に示すＺ軸方向に沿ってさらに拡散シート１４０が配置されている。
【００４７】
上述したように、出射面である複数の第１主面１２２には、隙間１２８が延びる方向（図中に示すＸ軸方向）と平行な方向（すなわち図中に示すＸ軸方向）に沿って延びる互いに並行して位置する複数の第１溝部１２２ａが設けられており、当該第１溝部１２２ａがそれぞれ設けられた複数の第１主面１２２は、互いに上記隙間１２８をもって略同一平面上において並列して（図中に示すＹ軸方向に並んで）配置されている。
【００４８】
拡散板１３０の一対の主面のうち、導光板１２０側に位置する主面とは反対側に位置する主面には、互いに並行して位置する複数の第２溝部１３１ａが設けられている。この複数の第２溝部１３１ａは、拡散板１３０の上記主面に付与されたプリズム形状によって構成されており、導光板１２０に設けられた第１溝部１２２ａが延びる方向（図中に示すＸ軸方向）と平行な方向（すなわち図中に示すＸ軸方向）に沿って延びている。ここで、拡散板１３０は、導光板１２０の出射面である複数の第１主面１２２のみならず、これらの間に位置する隙間１２８をも覆うように配置されている。なお、拡散板１３０の一対の主面のうち、導光板１２０側に位置する主面は、平面形状とされることが好ましい。
【００４９】
拡散板１３０は、その厚みおよびプリズム形状が適宜調節されることにより、図中に示すＹ軸方向に沿って強い光拡散機能を発揮する。この拡散板１３０の光拡散機能は、上述した一対のプリズムシート１５０ａ，１５０ｂの光学的機能（すなわち集光機能）と明確に区別されるものである。一方、拡散シート１４０は、図中に示すＸ−Ｙ平面内に含まれる方向にランダムに弱い光拡散機能を発揮する。
【００５０】
したがって、上述したように、隙間１２８をもって配置されたブロック状導光体１２１の直上に、出射面である第１主面１２２および隙間１２８を覆うように拡散板１３０を配置することにより、第１主面１２２および隙間１２８から出射された光を拡散板１３０を用いて図中Ｙ軸方向に沿って強く拡散させることでＹ軸方向に沿っての放射強度を平均化させることが可能となり、拡散板１３０から出射される光の放射強度分布をより均一化することができる。
【００５１】
さらに、拡散板１３０の直上に拡散シート１４０を配置することにより、拡散板１３０から出射された光を拡散シート１４０を用いて図中Ｘ−Ｙ平面内に含まれる方向に拡散させることでＸ−Ｙ平面内における放射強度がさらに平均化させることが可能となり、拡散シート１４０から出射される光の放射強度分布をさらに均一化することができる。この拡散シート１４０を用いた放射照度分布の均一化により、ブロック状導光体１２１に設けられた第１溝部１２２ａと拡散板１３０に設けられた第２溝部１３１ａとが互いに平行な方向に延びる溝であるために生じてしまういわゆるモアレが抑制できる効果が得られる。
【００５２】
ここで、拡散板１３０に設けられる第２溝部１３１ａは、その具体的な形状が特に限定されるものではないが、たとえば当該第２溝部１３１ａが形成される拡散板１３０の主面の表面形状がプリズム形状（多面体形状）とされることで構成されていてもよいし、波形状とされることで構成されていてもよいし、半円柱形状の周面の繰り返しとされることで構成されていてもよい。
【００５３】
また、拡散板１３０の具体的な寸法としては、たとえば、その厚みが１．０ｍｍ〜２．０ｍｍ程度（好適には１．５ｍｍ）とされる。また、第２溝部１２２ａの具体的な寸法としては、たとえば、ピッチが０．１ｍｍ〜１．０ｍｍ程度（好適には０．５ｍｍ）とされ、溝深さが０．１ｍｍ〜０．３ｍｍ程度（好適には０．２ｍｍ）とされる。
【００５４】
なお、導光板１２０および拡散板１３０については、これらが図示する如く接触配置されていてもよいし、所定の距離をもって離間して配置されていてもよい。また、拡散板１３０および拡散シート１４０についても、これらが図示する如く接触配置されていてもよいし、所定の距離をもって離間して配置されていてもよい。
【００５５】
以上において説明したように、本実施の形態におけるバックライトモジュール１００およびこれを備えた液晶表示装置１とすることにより、出射される光に輝度ムラが生じることが抑制でき、さらにはモアレの発生を抑制することができる。
【００５６】
図９は、本発明の実施の形態の変形例におけるバックライトモジュールの一部を切り出した一部破断斜視図である。本変形例におけるバックライトモジュールにあっては、導光板１２０が完全に分離されて分割されることはなされておらず、出射面である第１主面１２２のみが分離されるように、互いに並列して配置されることで隣り合う主部１２６が、相互に連結部１２７ａで連結された構成とされている。ここで、連結部１２７ａは、主部１２６よりもその厚みが薄く形成されており、これにより連結部１２７ａ上に出射面である第１主面１２２を分離する隙間１２９が位置している。
【００５７】
このように導光板１２０を構成した場合にも、上述した本実施の形態におけるバックライトモジュール１００およびこれを備えた液晶表示装置１の場合と同様に、導光板１２０の出射面である第１主面１２２上に拡散板１３０および拡散シート１４０を配置することで、出射される光に輝度ムラが生じることが抑制できるとともに、さらにモアレの発生を抑制することができるバックライトモジュールおよび液晶表示装置とすることができる。
【００５８】
なお、上述した実施の形態およびその変形例においては、エッジライト型光源モジュールに本発明を適用した場合について例示して説明を行なったが、直下型光源モジュールにも本発明を適用することができる。
【００５９】
また、上述した実施の形態およびその変形例においては、電子機器の代表例として液晶表示装置を、光源モジュールの代表例として当該液晶表示装置に具備されるバックライトモジュールをそれぞれ例示して説明を行なったが、この他にも、本発明が適用される電子機器としては、照明器具や投光器、プロジェクタ、広告灯等が挙げられ、本発明が適用される光源モジュールとしては、これらに具備される光源モジュールが挙げられる。
【００６０】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００６１】
１  液晶表示装置、２  ベゼル、３  液晶パネル、４  シャーシ、５  制御部、１００  バックライトモジュール、１０３，１０４  照射ユニット、１０５，１０７  ＬＥＤ、１０６，１０８  プリント配線板、１１０  反射シート、１２０  導光板、１２１  ブロック状導光体、１２２  第１主面（出射面）、１２２ａ  第１溝部、１２３，１２４  端面（入射面）、１２５  第２主面（光拡散面）、１２５ａ  光拡散部、１２６  主部、１２７  張出し部、１２７ａ  連結部、１２８，１２９  隙間、１３０  拡散板、１３１ａ  第２溝部、１４０  拡散シート、１５０ａ，１５０ｂ  プリズムシート、１６０  偏光性反射シート。
【図１】
2012054042.tif 000003
【図２】
2012054042.tif 000004
【図３】
2012054042.tif 000005
【図４】
2012054042.tif 000006
【図５】
2012054042.tif 000007
【図６】
2012054042.tif 000008
【図７】
2012054042.tif 000009
【図８】
2012054042.tif 000010
【図９】
2012054042.tif 000011